(57)【要約】【課題】製造工程において不良の発生を抑制する電磁継電器を提供する。【解決手段】電磁継電器は、電磁石に引き寄せられる接極子３１と、接極子３１の動作を可動電極板に伝達するカード１６とを備える。接極子３１は、カード１６に係合する係合部３５ｂを含み、カード１６は、カード本体部１６ａから延びる台座部１６ｂと、カード本体部１６ａから延びて弾性的に変形可能な変形部１６ｄと、台座部１６ｂに向かって突出する爪部１６ｃとを含む。変形部１６ｄは、カード本体部１６ａから延びる第１の部分１６ｆと第１の部分１６ｆから折れ曲がって延びる第２の部分１６ｇとを有する。係合部３１ｂは、台座部１６ｂと第２の部分１６ｇとに挟まれており、台座部１６ｂと爪部１６ｃとの間に係合部３１ｂが押込まれるときに爪部１６ｃが接触する表面の幅方向の端部には傾斜部３１ｄ，３１ｅが形成されている。【選択図】図７
2014139898.tif 000002
【特許請求の範囲】
【請求項１】
コイルを含む電磁石と、
前記電磁石に引き寄せられる接極子と、
可動接点を有する可動部材と、
前記接極子および前記可動部材に係合し、前記接極子の動作を前記可動部材に伝達する連結部材とを備え、
前記接極子は、接極子本体部と、前記連結部材に係合する係合部とを含み、
前記連結部材は、連結部材本体部と、前記連結部材本体部から延びる台座部と、前記連結部材本体部から延びて弾性的に変形可能な変形部と、前記変形部の先端に形成され、前記台座部に向かって突出する爪部とを含み、
前記変形部は、前記連結部材本体部から延びる第１の部分と前記第１の部分から折れ曲がって延びる第２の部分とを有し、前記台座部と前記爪部との間に前記係合部が押し込まれると変形し、
前記係合部は、前記台座部と前記第２の部分とに挟まれており、前記台座部と前記爪部との間に前記係合部が押込まれるときに前記爪部が接触する表面の幅方向の端部には、角になる部分が面取りされた面取り部が形成されている、電磁継電器。
【請求項２】
前記接極子は、前記幅方向の両側の端部に形成された切欠き部を有し、
前記係合部は、前記切欠き部に挟まれる部分により構成されている、請求項１に記載の電磁継電器。
【請求項３】
前記接極子は、前記幅方向の一方の端部に形成された切欠き部と、前記幅方向の他方の端部に形成された凹部とを含み、
前記係合部は、前記切欠き部および前記凹部に挟まれる部分により構成されている、請求項１に記載の電磁継電器。
【請求項４】
コイルを含む電磁石と、
前記電磁石に引き寄せられる接極子と、
可動接点を有する可動部材と、
前記接極子および前記可動部材に係合し、前記接極子の動作を前記可動部材に伝達する連結部材とを備え、
前記接極子は、接極子本体部と、前記連結部材に係合する係合部とを含み、
前記連結部材は、連結部材本体部と、前記連結部材本体部から延びる台座部と、前記連結部材本体部から延びて弾性的に変形可能な変形部と、前記変形部の先端に形成され、前記台座部に向かって突出している爪部とを含み、
前記変形部は、前記連結部材本体部から延びる第１の部分と前記第１の部分から折れ曲がって延びる第２の部分とを有し、前記台座部と前記爪部との間に前記係合部が押し込まれると変形し、
前記係合部は、前記台座部と前記第２の部分とに挟まれており、前記接極子の幅方向の一方の端部に形成された切欠き部と、前記幅方向の他方の端部に形成された凹部とに挟まれる部分により構成されている、電磁継電器。
【発明の詳細な説明】
【技術分野】
【０００１】
本発明は、電磁継電器に関する。
【背景技術】
【０００２】
電気回路に配置されて電気的な接続および切断を行う装置として、電磁継電器が知られている。電磁継電器は、コイルを含む電磁石と、電磁石に対向する接極子と、接極子に連結され、接点を含む電極とを備える。電磁継電器は、コイルに通電すると接極子が電磁石に吸引されて接極子が移動し、接極子が移動することにより複数の接点を電気的に接触させたり離したりする。
【０００３】
特開平７−３１２１６１号公報には、コイルブロックと、コイルブロックの磁極間に挿入して固定し、鉄芯との間で磁気回路を形成する平板状継鉄と、平板状継鉄の中央部に設けられた矩形状永久磁石とを備える電磁石が開示されている。この電磁石の接極子には、磁気抵抗調整部として穴部、切欠き部および凹部が形成されることが開示されている。
【０００４】
実公昭６３−４７０００号公報には、固定接点ばねおよび可動接点ばねを含むばね構成体を、電磁石構成体に一体的に固定した電磁継電器が開示されている。この電磁継電器では、可動ばねの遊端部に設けた孔と接極子の先端部に設けた孔とを駆動カードで連繋することが開示されている。
【０００５】
特開平９−２４５５９９号公報には、ベース部材上にコイルブロックと接点開閉機構とが隔離して配置され、コイルブロックに付設された可動片と、接点を有する電極を含む接点開閉機構とがカードで連結された電磁継電器が開示されている。この電磁継電器のカードは、下端が可動接触片の係止穴に係止され、上端の係止凹部に可動鉄片に形成された係止突部が係止されることが開示されている。
【先行技術文献】
【特許文献】
【０００６】
【特許文献１】特開平７−３１２１６１号公報
【特許文献２】実公昭６３−４７０００号公報
【特許文献３】特開平９−２４５５９９号公報
【発明の概要】
【発明が解決しようとする課題】
【０００７】
上記の特許文献に開示されているように、電磁継電器では接極子の動作を電極に伝達するために接極子と電極との間にカードを配置することが知られている。カードを備える電磁継電器は、接極子の動作に対応してカードが動作し、カードの動作に対応して電極が動くように形成されている。接極子は、たとえば磁性体で形成されるために鉄などで形成される。これに対して、カードは絶縁性材料である樹脂などで形成される。
【０００８】
電磁継電器の製造においては、接極子に対してカードを連結する必要があるが、接極子に対してカードを連結する工程で、カードの一部が削れる場合があった。たとえば、接極子の連結部分にカードの連結部分を嵌め込む場合がある。接極子は鉄などの硬い材料で形成され、カードは樹脂などの柔らかい材料で形成されているために、接極子に対してカードを嵌め込む場合に、カードの接極子に摺動する部分が削れて異物が生じる場合があった。
【０００９】
電磁石やカード等の内部部品を組立てた後には、ケースにて内部部品を覆う。ところが、カードの削れた異物が、このケース内に残存する場合がある。カードの削れた異物がケースの内部に残存すると、例えば接点に異物が付着して、接点同士の接触不良が生じる場合があった。
【００１０】
また、接極子は、カードを嵌め込む部分が細く形成される場合がある。ところが、カードを嵌め込む部分の強度が不十分で、接極子の製造においてカードを嵌め込む部分が変形する場合があった。カードを嵌め込む部分が所望の形状に形成されなかった場合には、その接極子は不良品となっていた。
【００１１】
本発明は、製造工程において不良の発生を抑制する電磁継電器を提供することを目的とする。
【課題を解決するための手段】
【００１２】
本発明の第１の電磁継電器は、コイルを含む電磁石と、電磁石に引き寄せられる接極子と、可動接点を有する可動部材と、接極子および可動部材に係合し、接極子の動作を可動部材に伝達する連結部材とを備える。接極子は、接極子本体部と、連結部材に係合する係合部とを含み、連結部材は、連結部材本体部と、連結部材本体部から延びる台座部と、連結部材本体部から延びて弾性的に変形可能な変形部と、変形部の先端に形成され、台座部に向かって突出する爪部とを含む。変形部は、連結部材本体部から延びる第１の部分と第１の部分から折れ曲がって延びる第２の部分とを有し、台座部と爪部との間に係合部が押し込まれると変形する。係合部は、台座部と第２の部分とに挟まれており、台座部と爪部との間に係合部が押込まれるときに爪部が接触する表面の幅方向の端部には、角になる部分が面取りされた面取り部が形成されている。
【００１３】
上記発明においては、接極子は、幅方向の両側の端部に形成された切欠き部を有し、係合部は、切欠き部に挟まれる部分により構成されることができる。
【００１４】
上記発明においては、接極子は、幅方向の一方の端部に形成された切欠き部と、幅方向の他方の端部に形成された凹部とを含み、係合部は、切欠き部および凹部に挟まれる部分により構成されることができる。
【００１５】
本発明の第２の電磁継電器は、コイルを含む電磁石と、電磁石に引き寄せられる接極子と、可動接点を有する可動部材と、接極子および可動部材に係合し、接極子の動作を可動部材に伝達する連結部材とを備える。接極子は、接極子本体部と、連結部材に係合する係合部とを含み、連結部材は、連結部材本体部と、連結部材本体部から延びる台座部と、連結部材本体部から延びて弾性的に変形可能な変形部と、変形部の先端に形成され、台座部に向かって突出している爪部とを含む。変形部は、連結部材本体部から延びる第１の部分と第１の部分から折れ曲がって延びる第２の部分とを有し、台座部と爪部との間に係合部が押し込まれると変形する。係合部は、台座部と第２の部分とに挟まれており、接極子の幅方向の一方の端部に形成された切欠き部と、幅方向の他方の端部に形成された凹部とに挟まれる部分により構成されている。
【発明の効果】
【００１６】
本発明によれば、製造工程において不良の発生を抑制する電磁継電器を提供することができる。
【図面の簡単な説明】
【００１７】
【図１】実施の形態の電磁継電器において、ケースを取り外したときの概略正面図である。
【図２】実施の形態における第１の例による接極子の平面図である。
【図３】実施の形態における第１の例による接極子の係合部の部分の拡大平面図である。
【図４】実施の形態における第１の例による接極子の係合部の部分で切断したときの概略断面図である。
【図５】実施の形態における第１の例による接極子にカードを嵌め込む時の第１工程を説明する概略図である。
【図６】実施の形態における第１の例による接極子にカードを嵌め込む時の第２工程を説明する概略図である。
【図７】実施の形態における第１の例による接極子にカードを嵌め込む時の第３工程を説明する概略図である。
【図８】実施の形態における第１の例による接極子にカードを嵌め込む時に、カードの爪部が係合部の一方の傾斜部に当接したときの断面図である。
【図９】実施の形態における第１の例による接極子にカードを嵌め込む時に、カードの爪部が係合部の他方の傾斜部に当接したときの断面図である。
【図１０】比較例の接極子の係合部の拡大平面図である。
【図１１】比較例の接極子にカードを挿入する時の断面図である。
【図１２】実施の形態における第２の例による接極子の係合部の部分の拡大平面図である。
【図１３】実施の形態における第２の例による接極子にカードを嵌め込んだ時の拡大断面図である。
【図１４】比較例の接極子の不良を説明する係合部の拡大平面図である。
【図１５】実施の形態における第３の例による接極子の係合部の部分の拡大平面図である。
【図１６】実施の形態における第３の例による接極子の係合部の部分を切断した断面図である。
【発明を実施するための形態】
【００１８】
図１から図１６を参照して、実施の形態における電磁継電器について説明する。図１は、本実施の形態の電磁継電器において、電磁石等の内部部品を覆うケースを取り外したときの正面図である。
【００１９】
本実施の形態における電磁継電器は、電磁石１２を備える。本実施の形態における電磁石１２は、コイルおよび鉄芯が樹脂により覆われている。電磁石１２は、コイルに通電することにより磁力を発生する。すわなち、電磁石１２が励磁する。電磁石１２は、コイルの通電を停止することにより磁力の発生を停止する。
【００２０】
本実施の形態における電磁継電器は、ベース部材１０を備える。本実施の形態におけるベース部材１０は、電気的な絶縁性を有する樹脂にて形成されている。ベース部材１０は、支持部１１を有する。電磁石１２は、ベース部材１０に載置されると共に支持部１１により支持されている。電磁石１２の内部のコイルは、コイル用端子２３，２４に接続されている。
【００２１】
電磁継電器は、電磁石１２に引き寄せられる接極子３１を有する。接極子３１は、磁性材料により板状に形成されている。本実施の形態における接極子３１は、鉄により形成されている。接極子３１は、一方の端部が板ばね１４に固定されている。板ばね１４は、ベース部材１０に固定されている。板ばね１４は、弾性を有し、接極子３１を電磁石１２から離す向きに付勢するように形成されている。
【００２２】
電磁継電器は、可動接点１８ａを有する可動部材としての可動電極板１８を備える。可動電極板１８は、板状に形成され、弾性を有する。可動電極板１８は、一方の端部１８ｂがベース部材１０に固定されている。可動電極板１８は、導電性を有する材料で形成されている。可動電極板１８は、接点用端子２２に接続されている。接点用端子２２は、外部の電気回路に接続される。
【００２３】
電磁継電器は、固定接点１７ａを有する固定部材としての固定電極板１７を含む。固定電極板１７は、板状に形成されている。固定電極板１７は、可動電極板１８に対向するように配置されている。固定電極板１７は、ベース部材１０に固定されている。可動接点１８ａと固定接点１７ａとは、互いに対向するように配置されている。固定電極板１７は、導電性を有する材料で形成されている。固定電極板１７は、接点用端子２１に接続されている。接点用端子２１は、外部の電気回路に接続される。
【００２４】
電磁継電器は、接極子３１の動作を可動電極板１８に伝達する連結部材としてカード１６を備える。カード１６は、接極子３１の板ばね１４が配置されている一方の端部と反対側の他方の端部に連結されている。カード１６は、接極子３１および可動電極板１８に係合する。カード１６は、ケースの内部において、矢印８２に示す向きおよび矢印８２に示す向きと反対向きに移動可能に形成されている。カード１６は、接極子３１の他方の端部の動作を可動電極板１８に伝達する。
【００２５】
電磁石１２のコイルに通電していない場合には、接極子３１は、板ばね１４の付勢力により、電磁石１２から離間している。この時に、可動電極板１８は、固定電極板１７から離れた状態になる。可動接点１８ａは、固定接点１７ａから離れており、電気的に切断された状態になる。
【００２６】
電磁石１２のコイルに通電した場合には、電磁石１２の鉄芯の周りに磁界が発生し、矢印８１に示すように、接極子３１が電磁石１２に引き寄せられる。接極子３１の他方の端部が、カード１６を押圧することにより、カード１６は、矢印８２に示す向きに移動し、可動電極板１８の端部が押圧される。可動電極板１８は、カード１６に押圧されることにより、矢印８３に示すように、固定電極板１７に向かって湾曲する。可動接点１８ａは、固定接点１７ａに向かって移動して固定接点１７ａに接触する。この結果、電気的な導通が達成される。
【００２７】
電磁石１２のコイルの通電を停止すると、板ばね１４の弾性力により、接極子３１が電磁石１２から離れる向きに移動する。接極子３１の他方の端部が引き上げられ、カード１６は、矢印８２に示す向きと反対向きに移動する。可動接点１８ａは、固定接点１７ａから離れて電気的に切断される。本実施の形態における電磁継電器は、コイル２を通電したり非通電にしたりすることにより、固定接点１７ａと可動接点１８ａとを接触させたり離間させたりすることができる。
【００２８】
図２に、本実施の形態における第１の例による接極子３１の平面図を示す。本実施の形態における接極子３１は、接極子本体部３１ａと、接極子本体部３１ａに接続されている係合部３１ｂと、係合部３１ｂに接続されているガイド部３１ｃとを有する。接極子３１において、矢印９４に示す方向を長手方向と定義し、長手方向に直交する方向を幅方向と定義する。接極子本体部３１ａの長手方向において、板ばね１４が固定される一方の端部と反対側の他方の端部に、係合部３１ｂおよびガイド部３１ｃが形成されている。本実施の形態における接極子は、一個の部材から形成されており、接極子本体部３１ａ、係合部３１ｂおよびガイド部３１ｃは一体的に形成されている。
【００２９】
図３に、本実施の形態の第１の例による接極子３１の係合部３１ｂの部分の拡大平面図を示す。図４に、本実施の形態の第１の例による接極子３１の係合部３１ｂを、図３におけるＡ−Ａ線に沿って切断したときの断面図である。図２から図４を参照して、係合部３１ｂは、接極子本体部３１ａよりも幅が小さくなるように形成されている。係合部３１ｂの幅方向の両側には、切欠き部３１ｍ，３１ｎが形成されている。切欠き部３１ｍ，３１ｎは、接極子３１の幅方向の両側の端部を切り欠いた形状を有する。このように、係合部３１ｂは、切欠き部３１ｍ，３１ｎに挟まれる部分により構成されている。ガイド部３１ｃは、接極子３１の幅方向に延びるように形成され、カード１６を係合部３１ｂに嵌め込むときにカード１６を係合部３１ｂに導く機能を有する。
【００３０】
本実施の形態の係合部３１ｂは、幅方向に切断したときの断面形状が略四角形になるように形成されている。係合部３１ｂは、角になる部分が面取りされた面取り部として傾斜部３１ｄ，３１ｅを有する。傾斜部３１ｄ，３１ｅは、台座部１６ｂと爪部１６ｃとに挟まれる部分に係合部３１ｂを押込むときに爪部１６ｃが接触する面の幅方向の端部に形成されている。傾斜部３１ｄ，３１ｅの表面は平面状に形成されている。傾斜部３１ｄ，３１ｅは、接極子本体部３１ａの表面３１ｇに対して傾斜するように形成されている。傾斜部３１ｄ，３１ｅは、係合部３１ｂの幅方向の両側の端部に形成されている。このような、接極子３１の切欠き部３１ｍ，３１ｎおよび傾斜部３１ｄ，３１ｅは、例えば材料の部材に対して切断加工や切削加工等を行うことにより形成することができる。
【００３１】
図５に、本実施の形態の電磁継電器の製造工程において、カード１６を接極子３１に嵌め込むときの第１工程の説明図を示す。図５は、電磁継電器を側面視したときの図である。製造工程においては、カード１６が接極子３１の係合部３１ｂに嵌め込まれて、接極子３１とカード１６とが連結される。図１および図５を参照して、本実施の形態におけるカード１６は、板状に形成されている。カード１６は、電気的な絶縁性を有する材料で形成されている。本実施の形態のカード１６は、樹脂で形成されている。
【００３２】
カード１６は、連結部材本体部としてのカード本体部１６ａと、カード本体部１６ａから延びて可動電極板１８に挿入される挿入部１６ｅとを含む。挿入部１６ｅは、可動電極板１８を押圧する機能を有する。カード１６は、カード本体部１６ａから延び、接極子３１の係合部３１ｂの台座となる台座部１６ｂを含む。カード１６は、カード本体部１６ａから延び、弾性的に変形可能な変形部１６ｄを含む。
【００３３】
本実施の形態における変形部１６ｄは、矢印９５に示す方向にカード本体部１６ａから延びる第１の部分１６ｆと、第１の部分１６ｆから折れ曲がって矢印９６に示す方向に延びる第２の部分１６ｇとを有する。このように、変形部１６ｄは、電磁継電器を側面視したときに屈曲した形状を有する。変形部１６ｄの先端には、爪部１６ｃが形成されている。爪部１６ｃは、台座部１６ｂと対向するように形成されている。更に、爪部１６ｃは、台座部１６ｂに向かって突出している。台座部１６ｂと爪部１６ｃとの間の距離は、接極子３１の係合部３１ｂの厚さよりも小さくなるように形成されている。
【００３４】
カード１６を接極子３１に嵌め込む場合には、接極子３１の係合部３１ｂが、爪部１６ｃと台座部１６ｂとの間に配置されるようにカード１６を移動する。次に、矢印９１に示すように、接極子３１に対してカード１６を押込む。すなわち、カード１６の台座部１６ｂと爪部１６ｃとに挟まれる部分に係合部３１ｂを押込む。この時に、接極子３１のガイド部３１ｃは、カード１６が係合部３１ｂから外れることを抑制する。このために、カード１６を係合部３１ｂの幅方向に容易に移動させることができる。
【００３５】
図６に、接極子３１にカード１６を嵌め込むときの第２工程の説明図を示す。接極子３１に対してカード１６を押込むことにより変形部１６ｄが湾曲し、台座部１６ｂと爪部１６ｃとの間の距離が大きくなる。係合部３１ｂは、台座部１６ｂおよび爪部１６ｃに対して摺動する。台座部１６ｂと爪部１６ｃとの間に係合部３１ｂが進入する。
【００３６】
図７に、接極子３１にカード１６を嵌め込むときの第３工程の説明図を示す。第２工程から継続して、矢印９１に示すようにカード１６を移動させることにより、変形部１６ｄと台座部１６ｂとに囲まれる空間に係合部３１ｂを配置することができる。このときに、変形部１６ｄは元の形状に戻る。係合部３１ｂは、台座部１６ｂと変形部１６ｄの第２の部分１６ｇとに挟まれている。このように、接極子３１の係合部３１ｂにカード１６を嵌め込むことができる。カード１６と接極子３１とが連結した状態では、変形部１６ｄと台座部１６ｂとに囲まれる空間に、接極子３１の係合部３１ｂが配置されている。
【００３７】
図８に、本実施の形態における第１の例による接極子３１にカード１６を嵌め込むときの係合部３１ｂの部分の第１の拡大断面図を示す。図８は、爪部１６ｃが係合部３１ｂの傾斜部３１ｄに接触している状態を示している。接極子３１の係合部３１ｂは、台座部１６ｂに面する側の表面と、爪部１６ｃに面する側の表面とを含む。傾斜部３１ｄ，３１ｅは、爪部１６ｃに面する側の表面の幅方向の端部に形成されている。係合部３１ｂがカード１６に対して挿入される向きが矢印９７に示されており、傾斜部３１ｄ，３１ｅはカード１６に挿入される向きに対して傾斜している。
【００３８】
前述したように、カード１６を接極子３１の係合部３１ｂに嵌め込むときには、係合部３１ｂに対して台座部１６ｂおよび爪部１６ｃを接触させた状態で、カード１６を移動させる。この時に、変形部１６ｄが変形し、矢印９２に示すように、爪部１６ｃが持ち上がる。変形部１６ｄの反力により、爪部１６ｃが傾斜部３１ｄに向かって押圧される。本実施の形態の爪部１６ｃは、係合部３１ｂよりも柔らかい材料で形成されているが、傾斜部３１ｄに接触し、傾斜部３１ｄに沿って滑らかに移動する。このために、爪部１６ｃが係合部３１ｂに圧接しても、係合部３１ｂにより削られることを抑制することができる。
【００３９】
図９に、本実施の形態における第１の例による接極子３１にカード１６を嵌め込むときの係合部３１ｂの部分の第２の拡大断面図を示す。図９は、爪部１６ｃが係合部３１ｂの傾斜部３１ｅに接触している状態を示している。カード１６の爪部１６ｃが、係合部３１ｂの他方の端部まで進行すると、爪部１６ｃが傾斜部３１ｅに接触する。爪部１６ｃは、矢印９３に示すように元の位置に向かって移動する。爪部１６ｃは、係合部３１ｂの傾斜部３１ｅに接触ながら滑らかに移動する。このために、爪部１６ｃが係合部３１ｂに削られることを抑制することができる。
【００４０】
ここで、比較例の接極子について説明する。図１０は、比較例の接極子３５の係合部３５ｂの部分の拡大平面図である。図１１に、比較例の接極子３５にカード１６を嵌め込むときの断面図を示す。比較例の接極子３５は、接極子本体部３５ａと、係合部３５ｂと、ガイド部３５ｃとを含む。係合部３５ｂは、切欠き部３５ｍ，３５ｎに挟まれる構成を有する。
【００４１】
比較例の係合部３５ｂは、カード１６の爪部１６ｃが接触する角となる部分に、面取り部が形成されていない。すなわち、係合部３５ｂは、幅方向の端部には傾斜部が形成されておらず、角部３５ｄ，３５ｅを有する。係合部３５ｂの断面形状は、四角形になるように形成されている。
【００４２】
比較例の接極子３５に対して、矢印９１に示すようにカード１６を移動させると、係合部３５ｂの一方の角部３５ｄに爪部１６ｃが接触する。このときに、角部３５ｄは尖った形状を有し、更に、係合部３５ｂが爪部１６ｃよりも硬い材料で形成されているために、角部３５ｄに爪部１６ｃが摺動するときに爪部１６ｃが削れる場合がある。更に、矢印９１に示すようにカード１６を移動させて、爪部１６ｃが角部３５ｅに接触する場合にも爪部１６ｃが削れる場合がある。このように、比較例の接極子３５においては、カード１６を接極子３５に嵌め込むときに、爪部１６ｃが削れて異物が生じる場合がある。この異物が電磁継電器の内部に残存すると、接点同士の接続不良等が生じる場合がある。
【００４３】
図８および図９を参照して、これに対して、本実施の形態の接極子３１は、台座部１６ｂと爪部１６ｃとの間に係合部３１ｂが押込まれるときに爪部１６ｃが接触する表面の幅方向の端部には、係合部３１ｂの角になる部分が面取された傾斜部３１ｄ，３１ｅが形成されている。このために、爪部１６ｃが削れることを抑制することができる。電磁継電器の製造工程において異物が生じて、内部に異物が残存することを抑制することができる。この結果、電磁継電器の不良の発生を抑制することができる。
【００４４】
図１２は、本実施の形態の第２の例による接極子３２の係合部３２ｂの部分の拡大平面図である。図１３に、本実施の形態の第２の例による接極子３２にカード１６を嵌め込んだときの断面図を示す。図１２および図１３を参照して、接極子３２は、接極子本体部３２ａと、係合部３２ｂと、ガイド部３２ｃとを含む。接極子３２は、幅方向の一方の端部に切欠き部３２ｍが形成され、幅方向の他方の端部には凹部３２ｆが形成されている。凹部３２ｆは、係合部３２ｂの表面から凹むように形成されている。係合部３２ｂは、切欠き部３２ｍおよび凹部３２ｆに挟まれる部分により構成されている。台座部１６ｂと爪部１６ｃとの間に係合部３２ｂが押込まれるときに爪部１６ｃが接触する表面において、幅方向の両側の端部には傾斜部３２ｄ，３２ｅが形成されている。
【００４５】
凹部３２ｆは、内部に爪部１６ｃを収容可能なように形成されている。また、凹部３２ｆは、爪部１６ｃを収容したときに爪部１６ｃと凹部３２ｆの底面とに間に隙間が生じる深さを有する。凹部３２ｆの幅方向の両側の端部には、傾斜部３２ｅに加えて傾斜部３２ｇが形成されている。このような凹部３２ｆは、例えば、材料となる部材を金型により押圧して形成することができる。すなわち、材料となる部材をプレス加工することにより形成することができる。または、材料となる部材の表面を切削することにより形成することができる。
【００４６】
接極子３２を備える電磁継電器においても、係合部３２ｂの幅方向の両側の端部に傾斜部３２ｄ，３２ｅが形成されているために、接極子３２に対してカード１６を嵌め込むときにカード１６の爪部１６ｃが削れることを抑制できる。この結果、電磁継電器の内部に異物が残存することを抑制できる。
【００４７】
また、接極子３２は、幅方向の他方の端部に凹部３２ｆが形成されている。接極子３２は、凹部３２ｆが係合部３２ｂおよびガイド部３２ｃに接続されている構造を有する。このために、係合部３２ｂおよびガイド部３２ｃを、凹部３２ｆが形成されている部分で支持することができる。すなわち、接極子３２は、係合部３２ｂおよびガイド部３２ｃの変形を抑制するように補強されている構造を有する。特に、接極子３２の製造において、係合部３２ｂおよびガイド部３２ｃの変形を抑制することができて、不良品の発生を抑制することができる。
【００４８】
図１４に、比較例の接極子３５の係合部３５ｂの部分の拡大平面図を示す。比較例の接極子３５は、凹部３２ｆを有しておらずに係合部３５ｂが補強されていない構造を有する。このために、接極子３５を製造する工程において、係合部３５ｂが変形してしまう場合がある。または、ガイド部３５ｃが変形してしまう場合がある。例えば、多量の接極子３５の洗浄を一度に行う工程では、接極子３５同士が互いに衝突して、図１４に示すように係合部３５ｂやガイド部３５ｃが曲がってしまう場合がある。または、係合部３５ｂやガイド部３５ｃが捩れてしまう場合がある。これに対して、本実施の形態における接極子３２は、係合部３２ｂの部分の変形を抑制するように補強されている構造を有するために、係合部３２ｂおよびガイド部３２ｃの変形を抑制することができる。
【００４９】
図１５に、本実施の形態の第３の例による接極子３３の係合部３３ｂの部分の拡大平面図を示す。図１６に、本実施の形態の第３の例による接極子３３の係合部３３ｂの部分の断面図を示す。図１６は、図１５のＢ−Ｂ線に沿って切断したときの断面図である。第３の例による接極子３３は、接極子本体部３３ａと、係合部３３ｂと、ガイド部３３ｃとを含む。接極子３３は、幅方向において一方の端部に切欠き部３３ｍが形成され、他方の端部に凹部３３ｆが形成されている。係合部３３ｂは、切欠き部３３ｍおよび凹部３３ｆに挟まれる部分により構成されている。
【００５０】
接極子３３の凹部３３ｆは、断面形状が四角形になるように形成されている。係合部３３ｂの幅方向の両側の端部には傾斜部が形成されていない構造を有する。このような、係合部３３ｂおよび凹部３３ｆを含む接極子３３においても、接極子３３の製造工程において、係合部３３ｂやガイド部３３ｃが変形することを抑制することができる。このために接極子３３の不良の発生を抑制することができる。
【００５１】
本実施の形態においては、接極子に対してカードを移動させることにより、接極子の係合部にカードを嵌め込んでいるが、この形態に限られず、カードに対して接極子を移動させることにより、接極子の係合部にカードを嵌め込んでも構わない。
【００５２】
本実施の形態における面取り部は、表面が平面状に形成されているが、この形態に限られず、曲面状に形成されていても構わない。
【００５３】
本実施の形態における電磁継電器は、２つの接点を互いに接触させているが、この形態に限られず、３つ以上の接点を有し、任意の接点同士の電気的な接続、切断または切替えを行う電磁継電器に本発明を適用することができる。
【００５４】
上記の実施の形態は、適宜組み合わせることができる。上述のそれぞれの図において、同一または相等する部分には同一の符号を付している。なお、上記の実施の形態は例示であり発明を限定するものではない。また、実施の形態においては、特許請求の範囲に示される変更が含まれている。
【符号の説明】
【００５５】
１２    電磁石
１６    カード
１６ａ    カード本体部
１６ｂ    台座部
１６ｃ    爪部
１６ｄ    変形部
１６ｆ    第１の部分
１６ｇ    第２の部分
１８    可動電極板
１８ａ    可動接点
３１，３２，３３    接極子
３１ａ，３２ａ，３３ａ    接極子本体部
３１ｂ，３２ｂ，３３ｂ    係合部
３１ｄ，３１ｅ，３２ｄ，３２ｅ    傾斜部
３２ｆ，３３ｆ    凹部
３１ｍ，３１ｎ，３２ｍ，３３ｍ    切欠き部
【図１】
2014139898.tif 000003
【図２】
2014139898.tif 000004
【図３】
2014139898.tif 000005
【図４】
2014139898.tif 000006
【図５】
2014139898.tif 000007
【図６】
2014139898.tif 000008
【図７】
2014139898.tif 000009
【図８】
2014139898.tif 000010
【図９】
2014139898.tif 000011
【図１０】
2014139898.tif 000012
【図１１】
2014139898.tif 000013
【図１２】
2014139898.tif 000014
【図１３】
2014139898.tif 000015
【図１４】
2014139898.tif 000016
【図１５】
2014139898.tif 000017
【図１６】
2014139898.tif 000018